(57)【要約】      （修正有）【課題】光記録メディアに書込みを行う装置において最適な書込みパワーを決定する方法。【解決手段】テスト書込み動作のための領域（４）を確認するために、光記録メディア（１）の外側の領域から内側にジャンプ（Ｓ２１、Ｓ３１）が行われ、このジャンプ（Ｓ２２、Ｓ３２）の終りの段階（Ｓ２２、Ｓ３２）の間に、記録の存在を示す信号（ＲＥＣＤ、ＲＦ）が存在するか否かをチェックし、ジャンプ（Ｓ２２、Ｓ２３）は、その信号が現れない場合に終了し、そのジャンプ（Ｓ２２、Ｓ３２）の終わりに光記録メディア（１）から得られた情報が、捜し出される領域（４）を確認するため利用される。【選択図】  図２
2005310361.tif 000002
【特許請求の範囲】
【請求項１】
光記録メディア（１）に書込みを行う装置において最適な書込みパワーを決定する方法であって、
書込みコマンドに応じて、テスト書込み動作に使用されるべき前記光記録メディア（１）の領域（４）を確認するステップと、
確認された前記領域（４）において、前記テスト書込み動作を行うステップと、
前記テスト書込み動作において書込まれたデータをベースにして前記最適な書込みパワーを確認するステップと
を備え、
前記テスト書込み動作のために提供される前記領域（４）を確認するために、前記光記録メディア（１）の外側の領域から内側に向かってジャンプ（Ｓ２１、Ｓ２２、Ｓ３１、Ｓ３２）が行われ、前記ジャンプの終わりの段階（Ｓ２２、Ｓ３２）の間に、記録の存在を示す信号（ＲＥＣＤ、ＲＦ）が存在するか否かを確定するチェックが行われ、前記ジャンプ（Ｓ２２、Ｓ３２）は、前記信号（ＲＥＣＤ、ＲＦ）が現れない場合に終了し、前記ジャンプ（Ｓ２２、Ｓ３２）の終わりに前記光記録メディア（１）から得られた情報が、捜し出される前記領域（４）を確認するため利用される
ことを特徴とする方法。
【請求項２】
前記テスト書込み動作に使用されるべき前記領域（４）についての情報が存在する前記光記録メディア（１）の領域（７）でジャンプ（Ｓ２２）が終わることを特徴とする請求項１に記載の方法。
【請求項３】
前記ジャンプ（Ｓ３２）は、前記テスト書込み動作のために提供される前記光記録メディア（１）の領域（２）で終わることを特徴とする請求項１に記載の方法。
【請求項４】
記録の存在を示す前記信号（ＲＦ）が所定の時間の間現れなかった後にのみ前記ジャンプ（Ｓ３２）を終了させることを特徴とする請求項３に記載の方法。
【請求項５】
前記最適な書込みパワーが確認された後に、前記最適な書込みパワーが装置の識別子と共に前記光記録メディア（１）の既定の領域の中に保存されることを特徴とする前記請求項のいずれか１項に記載の方法。
【請求項６】
前記既定の領域は、前記テスト書込み動作のために使用されるべき前記領域（４）についての情報のために提供されている領域（７）であることを特徴とする請求項５に記載の方法。
【請求項７】
請求項１〜６のいずれか１項に記載の前記方法を実行する装置。
【発明の詳細な説明】
【技術分野】
【０００１】
本発明は、光記録メディアに書込みを行う装置において最適な書込みパワーを決定する方法に関する。
【背景技術】
【０００２】
通常、このタイプの方法は、書込みコマンドに応じて、テスト書込み動作に使用されるべき光記録メディアの領域が確認されるステップを有する。この領域は、テスト書込み動作のために通常提供される領域の中にあり、先行のテスト書込み動作が行われた領域に通常隣接する。それぞれの装置および光記録メディアのタイプに適した平均的なパワーをベースにして段階的に変えられる高めおよび低めの書込みパワーを通常使用するテスト書込み動作は、確認された領域において行われる。その後に、テスト書込み動作において書込まれたデータをベースにして最適な書込みパワーが確認される。この目的のため、書込まれたデータは、最適な可読性が得られたパワーレベルに関して調べられ、このレベルに対応するパワーが最適な書込みパワーとして更に使用される。
【発明の開示】
【発明が解決しようとする課題】
【０００３】
本発明の目的は、このタイプの方法を改良し、平均してより短時間に実行できるようにすることである。
【課題を解決するための手段】
【０００４】
本発明によれば、この目的のために、テスト書込み動作のために使用されるべき領域を確認するため、一般的に光記録メディアの外側の領域から内側に向かって、現在の位置からテスト書込み動作のために提供される領域の方向へのジャンプが行われ、少なくともそのジャンプの終わりの段階の間に、記録の存在を示す信号が存在するか否かを確定するチェックが行われる。ジャンプは、その信号が現れない場合に終了し、そのジャンプの終わりに光記録メディアから得られた情報が、テスト書込み動作のために使用されるべき捜し出される領域を確認するため利用される。記録の存在を示す信号をチェックするプロセスはジャンプの間中行うこともできるが、一般的にはジャンプの終わりの段階にだけ行えば充分であり、好ましくは、光記録メディアの対象の領域が始まる既知の半径からスタートする。記録の存在を示すその信号の不在は、テスト書込み動作に使用されるべき領域について捜し出された情報を含むデータの開始を示している。これは、一例として、捜し出された領域のアドレス、または捜し出された領域のアドレスを割り出すことのできる情報事項もしくは同様のものである。この方法の１つの利点は、テスト書込み動作に使用されるべきアドレス情報が迅速に確認されるため、最適な書込みパワーのより迅速な決定が可能になることである。通常は、ジャンプは既に書込まれた領域の先端を越えて行われ、その後トラックに従って、この領域にゆっくり近付く。
【０００５】
本発明では、テスト書込み動作に使用されるべき領域についての情報が存在する光記録メディアの領域でジャンプが終わる。これには、実際に書込まれた領域のその部分に直ちに到達し、要求された情報が直ちに確認されるという利点がある。テスト書込み動作に使用されるべき領域についての情報を持つ領域は、一般的に、最適な書込みパワーで既に書込まれており、従って、よく読出すこともできるので、該当の位置は、確実に識別することができる。該当の情報が確認された後、そこからテスト書込み動作に使用されるべき領域に直接ジャンプが行われる。このタイプのジャンプは、時間的には１０〜２０ｍｓの桁である。
【０００６】
好ましくは、ジャンプは、テスト書込み動作のために提供される光記録メディアの領域で終わる。この場合、情報を含む領域からテスト書込み動作に使用されるべき領域へと更にジャンプする必要がないため、テスト書込み動作に使用される領域により速く到達するという利点がある。一般的に、この場合にもまた、部分的に判読が困難な方法で書込まれた情報事項がテスト書込み動作のために提供される領域に存在し、そこでは結局、非最適な書込みパワーも実際に使用されているにもかかわらず、テスト書込み動作を開始するべき位置を確実に識別することができる。
【０００７】
本発明は、記録の存在を示す信号が所定の時間の間現れなかった後にのみジャンプを終了させる。これには、先のテスト書込み動作において既に書込まれた光記録メディアの領域上では、テスト書込み動作が行われないことを確保するという利点がある。データは、各々のテスト書込み動作の間、最適なパワーで書込まれているため、この領域の少なくとも一部は識別可能であり、従って明確に割り当てられる。
【０００８】
好ましくは、最適な書込みパワーが確認された後、最適な書込みパワーがそれぞれの装置に特有の識別子と共に光記録メディアの既定の領域の中に保存される。これには、適切な場合、確認された最適な書込みパワーを次のテスト書込み動作のための開始値として使用することができるという利点がある。この場合、その光記録メディアに適していることが既にわかっており、従って、最適な書込みパワーのための更に最適化された結果を得ることのできるこの開始値から、比較的小さな刻み幅でテスト書込み動作を行うことができる。従って、これは許容範囲の中でより中央にあり、温度の変動およびエージング現象の際にも書込まれたデータの可読性を高める。最適な書込みパワーが誤って決定された場合にでも、それぞれの場合について前に保存された最適な書込みパワーの値を代替値として使用することができる。
【０００９】
好ましくは、確認された最適な書込みパワーの値が保存されている既定の領域は、テスト書込み動作のために使用されるべき領域についての情報のために提供されている領域である。これには、所謂ダミーである「ダミーデータ」のみをしばしば含むこの領域が、書込まれた実用的な情報を備えるという利点がある。
【００１０】
本発明はまた、本発明に基づく方法を実行する装置に関する。
【００１１】
本発明に基づく方法は、ＤＶＤ＋Ｒ規格（ＥＣＭＡ−３４９）に従って動作する装置に適している。しかしながら、本発明に基づく方法は、他の光記録規格に従って動作する装置にも好都合に適用できる。
【００１２】
本発明の更なる利点および本発明に基づく詳細は、以下の模範的な実施形態の説明から得ることができる。
【発明を実施するための最良の形態】
【００１３】
図１は、光記録メディアに書込みを行う装置における最適な書込みパワーを決定する第１の方法を示している。光記録メディア１の一部の断面が様々な領域と共に示されている。図の左側は、光記録メディア１の内側の領域であり、図の右側は、光記録メディア１の外側の領域である。図の左側は、テスト書込み動作のために提供される領域２を示しており、書込まれていない領域３と、次のテスト書込み動作に使用される領域４と、テスト書込み動作によって既に書込まれている領域５とを有する。テスト書込み動作のために提供される領域２は、テスト書込み動作のために使用されるべき領域に関する情報を含む領域７のための開始領域６に隣接している。領域７は、書込まれていない領域８と、次のテスト書込み動作に関する情報のために提供される領域９と、既に書込まれている領域１０とを有する。ＤＶＤ＋Ｒ規格に従って、テスト書込み動作のために提供されている領域２は「インナーディスクテストゾーン」（Ｉｎｎｅｒ  Ｄｉｓｋ  Ｔｅｓｔ  Ｚｏｎｅ）、開始領域６は「カウントゾーンランイン」（Ｃｏｕｎｔ  Ｚｏｎｅ  Ｒｕｎ−ｉｎ）、そしてテスト書込み動作のために使用されるべき領域に関する情報を備える領域７は「インナーディスクカウントゾーン」（Ｉｎｎｅｒ  Ｄｉｓｋ  Ｃｏｕｎｔ  Ｚｏｎｅ）と呼ばれる。
【００１４】
矢印として示されている第１のジャンプＳ１において、ジャンプは光記録メディアの外側の領域から開始領域６に行われ、光記録メディアのトラック上でのカップリングが行われ、書込まれていない領域８および隣接する領域９を越えて既に書込まれている領域１０までの矢印で示されている第２のジャンプＳ２の間、トラックが追従する。ジャンプＳ１およびジャンプＳ２は好ましくは単一のジャンプで速い部分と遅い部分がある。書込まれている領域１０において、次のテスト書込み動作に使用されるべき領域についての情報が得られ、ジャンプＳ３において、この領域４へのジャンプが行われる。次のテスト書込み動作は、次のテスト書込み動作に使用されるべき領域４において行われ、その動作の最後に、ジャンプＳ４において、次のテスト書込み動作についての情報のために提供される領域９の始めまでジャンプが行われ、この領域９に書込みができるようにする。本発明によれば、この場合、テスト書込み動作の間に確認された書込みパワーの最適値がいわゆるダミー情報の代わりに、保存される。この場合、この値は最適な書込みパワーを決定する次のプロセスにおける開始値として使用される。その後、ジャンプＳ５において、記録が行われる光記録メディアの位置へとジャンプが行われる。
【００１５】
図２は、図１に関する部分的な断面において概略的に示されている光記録メディア１をベースにした本発明に基づく方法を示している。同一の要素は同一の参照番号で示され、必ずしも再び説明されない。図の下側領域に信号ＲＥＣＤがあり、この信号は記録の存在を示している。これは例えば、当業者にはなじみのある無線周波数信号すなわちＲＦ信号である。これは、ジャンプＳ２１である光記録メディア１の外側の領域から内側の領域に向かってのジャンプの第１の部分の間存在し、ジャンプＳ２２であるジャンプの第２の部分においても存在する。ジャンプＳ２２は、例えばトラックからトラックへのジャンプ等の遅いジャンプとして示されている。トラックからトラックへのこのジャンプの間、書込まれた領域１０は横断され、信号ＲＥＣＤがもはや存在しないことをその内側の端で確定する。ジャンプＳ２２はそこで直ちに終了し、書込まれた領域１０の始めにある情報が確認され、次のテスト書込み動作に使用されるべき領域４の開始アドレスがそこから決定される。ジャンプＳ２３において、次のテスト書込み動作に使用されるべき領域４に書込むためにその領域へのジャンプが行われる。その後、図１について説明されているように、ジャンプＳ２４において、次のテスト書込み動作についての情報のために提供される領域９の始めへとジャンプが行われ、その領域に同様に書込みができるようにする。
【００１６】
図３は、本発明に基づく更なる方法を示したものである。この場合、ジャンプＳ３１において、光記録メディアの外側の領域から、素早く領域７を横切って、テスト書込み動作のために提供されている領域２と、開始領域６の間の境界にジャンプが行われ、このジャンプの第２の部分であるジャンプＳ３２で、そこから光記録メディアの内側の領域の方向に遅いジャンプが行われる。この場合もまた、信号ＲＦが光記録メディアから読出され、その信号は強度が変動し、先のテスト書込み動作において最適な書込みパワーが印加された所で最大値を有する。最大値のうちの１つが最後に生じた後、ジャンプＳ３２は、例えば１０〜２０ｍｓ等の所定の時間の間続けられ、そして終了する。その後、光記録メディア１のトラック上でのカップリングが行われ、次のテスト書込み動作のために使用されるべき領域４が書込まれる。ジャンプＳ３３において、そこから領域９にジャンプが行われ、上述のように、そこに書込みができるようにする。
【００１７】
すなわち、本発明は最適な書込みパワーの設定に関する。このタイプの設定の場合、ディスクとも呼ばれる光記録メディア１とドライブの固有の組合わせについて、書込みレーザパワーを１ステップ毎に増加させることによって、最適なパワーが確認される。本発明は主として、ＤＶＤ＋Ｒ等の１度書込み（追記型）メディアに関する。この場合、書込みの試行に使用可能なキャリブレーションゾーンである領域４がディスクのリードイン領域（ディスクの内側の領域）にある。領域４であるこのゾーンに隣接して、いわゆるインナーディスクカウントゾーンである領域７があり、これは、１度書込み（追記型）キャリブレーションゾーンである領域４のどの領域が既に使用され、従ってもはや利用可能でないかを示す。次に、ドライブによるキャリブレーションのために、次の可能な位置が確認される。これは、例えば領域７であるカウントゾーンの開始に位置する装置のスキャニングビームにより行われ、トラック上での信号ＲＥＣＤの検出により領域１０である捜し出されたマーキングに到達するまで、トラック上で継続的に待ち続ける。次に、例えば規格に従って、アドレス変換によりキャリブレーションのための実際の開始アドレスが確認される。この方法には欠点があり、依然として消費者向け装置で使用されているような低い書込み速度においては、最悪の場合、正しい位置が見つかる前に長い時間が経過してしまう可能性がある。１×ＤＶＤ速度では、この時間は最大２５６＊２４ｍｓ＝６．１秒である。これはつまり、記録ボタンを押してから実際に記録が開始されるまで６秒以上かかるということであり、容認し難い。
【００１８】
本発明は同様に信号ＲＥＣＤの検出を利用する。この場合、しかしながら、規格に示されているカウントゾーンランインである領域６は、ベースとしては使用されず、むしろ、更に外側に位置するディスクの位置からの戻りジャンプＳ２１、Ｓ２２、Ｓ３１、Ｓ３２の間、ＲＥＣＤ信号またはＲＦ信号がスキャンされ、信号が現れなかった場合、ジャンプＳ２２、Ｓ３２は直ちに終了し、関連付けられたアドレスを確認することによってキャリブレーションのための位置が確認される。本発明は、最適な書込みパワーの確認を行うために要する時間、すなわち記録ボタンを押してから記録の実際の開始までに要する時間を短縮する。
【００１９】
本発明の更なるポイントは、領域７または規格に従って任意に書込むことのできるいくつかの他の適切なデータ領域が、確認され、好適だとされる書込みレーザパワーのための値を保存するために利用されることである。次にこの値には、使用されるドライブの識別子が供給される。なぜなら全てのドライブは異なる光学手段に起因する異なる最適な書込みパワーの値を確認するからである。所与のディスク／ドライブの組合わせのために保存された値はそれでも、標準として提供された表からのデフォルト値により供給される値よりも、更なるキャリブレーションのためのより適切な開始値をもたらす。パワーキャリブレーションがうまくいかない場合には、保存された値を直接、実際の書込み動作に使用することもできる。
【００２０】
本発明の更なる利点は、光記録メディア１が挿入される度に書込みパワーの最適化を行う必要がなくなることである。書込みパワーの最適値が結局は既にわかっているため、このような手続は記録コマンドから記録の開始までに要する時間を短縮するものの、読出しのためだけに光記録メディア１を装置に挿入するとき、すなわち最適な書込みパワーの設定が必要でないときにまで、光記録メディア１の領域４および領域７に不必要に書込みを行うという大きな欠点がある。最適な書込みパワーの設定に必要とされる領域４、７の中に、書込みが行われていない領域がもはや存在しない場合、書込みは正確には可能でないため、これは１度書込み（追記）型の光記録メディアの場合にとりわけ不都合である。
【図面の簡単な説明】
【００２１】
【図１】最適な書込みパワーを決定する第１の方法を示したものである。
【図２】本発明に基づく方法を示したものである。
【図３】本発明に基づく更なる方法を示したものである。
【符号の説明】
【００２２】
１  光記録メディア
２  テスト書込み動作のために提供される領域
３  書込まれていない領域
４  次のテスト書込み動作に使用される領域
５  テスト書込み動作によって既に書込まれている領域
６  開始領域
７  テスト書込み動作に使用されるべき領域についての情報が存在する領域
８  書込まれていない領域
９  次のテスト書込み動作に関する情報のために提供される領域
１０  既に書込まれている領域
ＲＥＣＤ、ＲＦ  信号
Ｓ１、Ｓ２、Ｓ３、Ｓ４、Ｓ５、Ｓ２１、Ｓ２２、Ｓ２３、Ｓ２４、Ｓ３１、Ｓ３２、Ｓ３３  ジャンプ
【図１】
2005310361.tif 000003
【図２】
2005310361.tif 000004
【図３】
2005310361.tif 000005
【外国語明細書】
2005310361.tif 000006
2005310361.tif 000007
2005310361.tif 000008
2005310361.tif 000009
2005310361.tif 000010
2005310361.tif 000011
2005310361.tif 000012
2005310361.tif 000013
2005310361.tif 000014
2005310361.tif 000015
2005310361.tif 000016
2005310361.tif 000017
2005310361.tif 000018
2005310361.tif 000019